(57)【要約】【課題】  高い耐折損性を有する安全書類カードおよびその製造方法を提供すること。【解決手段】  本発明は、安全書類カードおよびその製造方法に関し、カードは支持体（１０）と支持体の少なくとも片面に配された被覆物（５）から成る。支持体の材料は高密度ポリエチレン（HDPE）と直鎖状低密度ポリエチレン（LLD-PE）から成る。被覆物の材料はポリカーボネートから成る。支持体と被覆物は加熱接着剤によって接合される。
2005518967.tif 000002
【特許請求の範囲】
【請求項１】
支持体（１０）と支持体の少なくとも片面に配された被覆物（５）から成る安全書類カードにおいて、支持体（１０）の材料は高密度ポリエチレン（HDPE）と直鎖状低密度ポリエチレン（LLD-PE）から成り、被覆物（５）の材料はポリカーボネートから成ることを特徴とする安全書類カード。
【請求項２】
支持体の材料は、更に充填剤を含有することを特徴とする請求項１記載の安全書類カード。
【請求項３】
充填剤は、TiO2及び／又はCaCO3から成ることを特徴とする請求項２記載の安全書類カード。
【請求項４】
支持体材料中の充填剤の比率は、少なくとも５重量％であることを特徴とする請求項２または３記載の安全書類カード。
【請求項５】
支持体材料中の充填剤の比率は、少なくとも２０重量％であることを特徴とする請求項２または３記載の安全書類カード。
【請求項６】
支持体の厚みは、少なくとも１００μｍであることを特徴とする請求項１記載の安全書類カード。
【請求項７】
被覆物の厚みは、支持体の厚みより小さいことを特徴とする請求項１記載の安全書類カード。
【請求項８】
支持体の厚みは、少なくとも１２０μｍであり、被覆物の厚みは、少なくとも１００μｍであることを特徴とする請求項１または７記載の安全書類カード。
【請求項９】
被覆物は、加熱接着剤によって支持体上に固着されることを特徴とする請求項１乃至８の何れかに記載の安全書類カード。
【請求項１０】
被覆物は、レーザーにより書き込まれ又は彫り込まれる情報を提示することを特徴とする請求項１乃至９の何れかに記載の安全書類カード。
【請求項１１】
被覆物は、印刷される情報を提示することを特徴とする請求項１乃至１０の何れかに記載の安全書類カード。
【請求項１２】
支持体（１０）と支持体の少なくとも片面に配された被覆物（５）から成る安全書類カードの製造方法において、ポリカーボネートから成る被覆物は加熱接着剤によって支持体上に固着され、支持体の材料は高密度ポリエチレン（HDPE）と直鎖状低密度ポリエチレン（LLD-PE）から成ることを特徴とする安全書類カードの製造方法。
【請求項１３】
加熱接着剤が活性化される温度は１００℃以上であって２００℃以下であることを特徴とする請求項１２記載の方法。
【請求項１４】
被覆物を支持体上に固着する前および／または後に、情報が被覆物中にレーザーにより彫り込まれ又は書き込まれることを特徴とする請求項１２又は１３記載の方法。
【請求項１５】
支持体上に固着する前および／または後に、被覆物が印刷されることを特徴とする請求項１２乃至１４の何れかに記載の方法。
【発明の詳細な説明】
【技術分野】
【０００１】
本発明は、独立クレーム１に記載される支持体と支持体の少なくとも片面に配された被覆物から成る安全書類カードに関する。本発明は更に、続く独立クレームに記載されるこの安全書類カードの製造方法に関する。
【背景技術】
【０００２】
ポリカーボネートの安全書類カードおよびポリカーボネートの安全書類カードの製造方法は、公知である。
【発明の開示】
【発明が解決しようとする課題】
【０００３】
しかし、ポリカーボネートの安全書類カードは折れやすいという欠点がある。そのような安全書類カードは、パスポートに綴じ込まれ又は貼り付けられるが、その際、カードには、強く曲げられ又は綴じ目ゆえに折れてしまう部位がある。貼り付けられ又は綴じ込まれたパスポートを頻繁に開閉すると、カード材料に強い負荷がかかるため、カードは折れるべき部位としての曲部や綴じ目で容易に折れてパスポートから離脱する。
【０００４】
本発明は、高い耐折損性を有する安全書類カードおよびその製造方法を提供することを目的としている。
【課題を解決するための手段】
【０００５】
一方、独立クレームの特徴を有する本発明に係る安全書類カードには、高い耐折損性を示すという利点がある。更なる利点は、材料の熱安定性と環境適合性が良いと思われることである。更に、安全書類カード上に情報を印刷し、レーザーで書き込み又は彫り込むことができる。
【０００６】
下位クレームに記載された手段によって、独立クレームに記載された安全書類カードを更に有利に形成し改良することが可能になる。特に、支持体材料が更に充填剤を含有し、それにより材料の特性、例えば着色性に好影響を与えることは有利である。充填剤としてTiO2及び／又はCaCO3が特に好ましいものとして示される。支持体材料の特性を望ましく変えるために、充填剤の比率を少なくとも５重量％、好ましくは少なくとも２０重量％とするのが有利である。安全書類カードに望ましい強度を有利に付与するために、支持体の厚みを少なくとも１００μｍとするのが好ましい。その際、被覆物の厚みは、支持体の厚みより小さくするのが好ましい。被覆物材料は、加熱接着剤によって支持体材料上に固着させるのが特に簡易で丈夫である。安全書類カードに付与される情報は、好ましくは被覆物上に存在し、そこに印刷され又はレーザーにより書き込まれ又は彫り込まれる。
【０００７】
独立クレームの特徴を有する本発明に係る安全書類カードの製造方法には、本発明に係る安全書類カードを簡易にかつ安価に製造することができるという利点がある。
【０００８】
下位クレームに記載された手段によって、独立クレームに記載された安全書類カードの製造方法を更に有利に形成し改良することが可能になる。加熱接着剤が活性化される温度を１００℃と２００℃の間の範囲とするのが、この条件ではプラスチック材料が損傷を受けないので、特に好ましい。相当する情報を安全書類カードに供給するために、被覆物を支持体上に固着する前及び／又は後に、印刷し及び／又はレーザーにより情報を書き込み又は彫り込むのが好ましい。
【発明の効果】
【０００９】
本発明によれば、高い耐折損性を有する安全書類カードを提供することができる。
【発明を実施するための最良の形態】
【００１０】
本発明の実施例は図面に基づいて示され、以下の記載において詳細に説明される。
【００１１】
図１には、本発明に係る安全書類カードの実施例が断面図で概略的に示される。そこに示される安全書類カードは、３層から成る。真中に支持体１０、その外側に各被覆物５が示される。この安全書類カードは、パスポートに綴じ込み又は貼り付けることができる。他の実施例では、被覆物５は、支持体１０の片面にのみ配される。支持体１０の材料は、高密度ポリエチレン（HDPE）と直鎖状低密度ポリエチレン（LLD-PE）から成る。更に好ましい実施例では、安全書類カードは、充填剤、好ましくはTiO2及び／又はCaCO3から成る充填剤を含有する。支持体材料中の充填剤の比率は、好ましくは少なくとも５重量％、更に好ましい実施例では少なくとも２０重量％である。充填剤は支持体の着色のために重要な役割を担う。
【００１２】
被覆物５の材料は、ポリカーボネートから成る。更なる実施例では、被覆物５は、少なくともある範囲において透明であるように形成される。安全書類カードの必要な強度を確保するために、支持体１０の厚みは、少なくとも１００μｍとなるように選択される。被覆物の厚みは支持体の厚みより大きくならないようにするのが好ましい。特に好ましい実施例では、支持体の厚みは、１２０μｍで被覆物材料の厚みは、１００μｍである。
【００１３】
以下に、安全書類カードの製造について説明する。好ましい実施例で印刷された情報を提示し得る支持体１０は、まず加熱接着剤が被覆物５の配される側面に塗布される。加熱接着剤は、その後１００℃と２００℃の間の温度で加熱されて活性化される。特に好ましい実施例では、加熱接着剤は、１４０℃と１５０℃の間の温度で加熱される。その後、被覆物は活性化された加熱接着剤上に配され、接着剤が冷えると支持体１０と被覆物５との強固な接合が形成される。被覆物５に情報を取り込むために、レーザーによって情報が被覆物中に書き込まれ又は彫り込まれる。更に好ましい実施例では、従来の印刷法によって情報が被覆物上に印刷される。付与される情報は、被覆物が支持体と接合された後に取り込まれる。更なる実施例では、レーザーによって書き込まれ又は彫り込まれ又は印刷される情報は、被覆物が加熱接着剤の付いた支持体に配される前に取り込まれる。
【００１４】
上述の方法によって製造される安全書類カードは、その後パスポートに貼り付けられ又は綴じ込まれてパスポートの使用時に曲げられる強い負荷がかかっても離脱しないこと、そして同時に、熱安定性、環境適合性又は情報取り込み可能性に関して良好な特性を示すことが保証される。
【図面の簡単な説明】
【００１５】
【図１】本発明に係る安全書類カードの断面図（概略）を示す。
【符号の説明】
【００１６】
５    被覆物
１０    支持体
【図１】
2005518967.tif 000003
【国際調査報告】
2005518967.tif 000004
2005518967.tif 000005
2005518967.tif 000006
2005518967.tif 000007
2005518967.tif 000008
2005518967.tif 000009